(57)【要約】【課題】乗りかごの床面積を拡大せずに長尺物の運搬が可能なエレベーターの乗りかごを提供する。【解決手段】エレベーターの乗りかごの壁面を、奥行移動壁２及び間口移動壁３を持って構成する。各移動壁には、各移動壁の移動位置を検出するスイッチ装置５〜８と、各移動壁の施錠及び開錠を行う施錠装置９、１０を備える。奥行移動壁２の施錠装置１０は、間口移動壁３が乗りかごの間口寸法を縮小する所定の位置にあることをスイッチ装置６が検知した場合に開錠して、乗りかごの奥行寸法を拡大する方向への奥行移動壁２の移動を可能とする。一方、間口移動壁３の施錠装置９は、奥行移動壁２が乗りかごの奥行寸法を縮小する所定の位置にあることをスイッチ装置７が検知した場合に開錠して、乗りかごの間口寸法を拡大する方向への間口移動壁３の移動を可能とする。【選択図】図１
2015020817.tif 000002
【特許請求の範囲】
【請求項１】
床面の形状を変更可能な移動壁を備えたエレベーターの乗りかごにおいて、
前記移動壁として、乗りかごの出入口と対向に配置され、乗りかごの奥行寸法を変更する奥行移動壁と、乗りかごの出入口の側方に配置され、乗りかごの間口寸法を変更する間口移動壁とを備え、
前記各移動壁には、前記各移動壁の移動位置を検出するスイッチ装置と、前記各移動壁の施錠及び開錠を行う施錠装置とを備え、
前記奥行移動壁の施錠装置は、前記間口移動壁が乗りかごの間口寸法を縮小する所定の位置にあることを前記スイッチ装置が検知した場合に開錠して、乗りかごの奥行寸法を拡大する方向への前記奥行移動壁の移動を可能とし、
前記間口移動壁の施錠装置は、前記奥行移動壁が乗りかごの奥行寸法を縮小する所定の位置にあることを前記スイッチ装置が検知した場合に開錠して、乗りかごの間口寸法を拡大する方向への前記間口移動壁の移動を可能とする
ことを特徴とするエレベーターの乗りかご。
【請求項２】
請求項１に記載のエレベーターの乗りかごにおいて、
前記乗りかごの奥行寸法を拡大する方向に前記奥行移動壁を移動し、かつ前記乗りかごの間口寸法を縮小する方向に前記間口移動壁を移動したときの乗りかごの床面積が、前記乗りかごの奥行寸法を縮小する方向に前記奥行移動壁を移動し、かつ前記乗りかごの間口寸法を拡大する方向に前記間口移動壁を移動したときの乗りかごの床面積とほぼ同等になるように、前記各移動壁の可動範囲を設定したことを特徴とするエレベーターの乗りかご。
【請求項３】
請求項１に記載のエレベーターの乗りかごにおいて、
前記床面に、前記各移動壁の移動を容易にするためのガイドレールを備えると共に、前記乗りかごの奥行寸法を拡大する方向への前記奥行移動壁の移動、及び、前記乗りかごの間口寸法を拡大する方向への前記間口移動壁の移動に連動して動作し、前記ガイドレールの表面を覆うカバー部材を備えたことを特徴とするエレベーターの乗りかご。
【発明の詳細な説明】
【技術分野】
【０００１】
本発明は、床形状可変装置を備えたエレベーターの乗りかごに関する。
【背景技術】
【０００２】
従来、乗りかごの奥行サイズを一時的に拡大して長尺物の運搬を行えるようにしたエレベーターが知られている（例えば、特許文献１の要約書参照。）。特許文献１に記載のエレベーターは、乗りかごの出入口と対向する側板の前方に奥行方向に回転可能な扉と、この扉を開放状態に保持するストッパーと、前記扉の開放を阻止する施錠装置とを備えている。そして、長尺物の運搬時には、施錠装置を開錠して扉を奥行方向に回転し、ストッパーにてこの状態を保持することにより、寝台やストレッチャーの運搬を可能にする。また、通常時には、扉を閉じて施錠することにより、乗りかごの床面積を小さくできるので、定員を超過する乗客の乗り込みを禁止できる。
【先行技術文献】
【特許文献】
【０００３】
【特許文献１】特開２００２−１２８４３２号公報
【発明の概要】
【発明が解決しようとする課題】
【０００４】
特許文献１に記載の発明は、寝台やストレッチャーの運搬時にのみ乗りかご内の扉を開き、寝台やストレッチャーの運搬が終了した後は直ちに扉を閉じるという使用態様がとられている限りは、特別な問題を生じない。
【０００５】
しかしながら、実際の使用に際しては、寝台やストレッチャーの運搬が終了した後においても、不注意により或いは意識的に扉が開かれたままの状態に放置される場合が考えられる。このような場合、特許文献１に記載の発明では、扉を開くことにより乗りかごの奥行寸法ひいては床面積が拡大するので、扉を閉じた状態よりも乗りかご内に多数の乗客が乗り込めるようになる。エレベーターの定員又は積載質量は、扉を閉じたときの乗りかごの床面積に応じた値に設定されているので、これを超える乗客が乗り込んだ場合にはブザー等の警報が発動してエレベーターが停止状態となり、エレベーターの円滑な運行が阻害される。なお、扉を開いたときの床面積に応じた定員又は積載質量を設定しておけば、このような不都合の発生を防止できるが、その分、エレベーターが全体として大型化及び高コスト化する。
【０００６】
本発明は、このような従来技術の実情に鑑みてなされたものであり、その目的は、乗りかごの床面積を拡大せずに長尺物の運搬が可能なエレベーターの乗りかごを提供することにある。
【課題を解決するための手段】
【０００７】
本発明は、上述の課題を解決するため、特許請求の範囲に記載の構成を採用する。特許請求の範囲に記載されているように、本発明は上述の課題を解決するための手段の１つは、床面の形状を変更可能な移動壁を備えたエレベーターの乗りかごにおいて、前記移動壁として、乗りかごの出入口と対向に配置され、乗りかごの奥行寸法を変更する奥行移動壁と、乗りかごの出入口の側方に配置され、乗りかごの間口寸法を変更する間口移動壁とを備え、前記各移動壁には、前記各移動壁の移動位置を検出するスイッチ装置と、前記各移動壁の施錠及び開錠を行う施錠装置とを備え、前記奥行移動壁の施錠装置は、前記間口移動壁が乗りかごの間口寸法を縮小する所定の位置にあることを前記スイッチ装置が検知した場合に開錠して、乗りかごの奥行寸法を拡大する方向への前記奥行移動壁の移動を可能とし、前記間口移動壁の施錠装置は、前記奥行移動壁が乗りかごの奥行寸法を縮小する所定の位置にあることを前記スイッチ装置が検知した場合に開錠して、乗りかごの間口寸法を拡大する方向への前記間口移動壁の移動を可能とすることを特徴とする。
【発明の効果】
【０００８】
本発明によれば、エレベーターの乗りかごに奥行移動壁と間口移動壁を備えると共に、これらの各移動壁を移動する際に、乗りかごの床面積を拡大させない順序でのみ各移動壁の移動を可能とするスイッチ装置及び施錠装置を備えたので、乗りかごの床形状を変更した場合にも、乗りかご内に乗り込める乗客の数を一定に制限できる。よって、定員オーバー又は積載質量オーバーによるエレベーターの停止を防止でき、エレベーターの円滑な運行が可能になる。
【図面の簡単な説明】
【０００９】
【図１】実施形態に係るエレベーターの乗りかごの間口寸法を最大化したときの状態を示す平面図である。
【図２】実施形態に係るエレベーターの乗りかごの奥行寸法を最大化したときの状態を示す平面図である。
【図３】実施形態に係るエレベーターの乗りかごに備えられるガイドレールとカバー部材とを示す要部断面図である。
【発明を実施するための形態】
【００１０】
以下、本発明に係るエレベーターの乗りかごの実施形態を、図面を用いて説明する。なお、本発明の要旨は、以下に記載の実施形態に限定されるものではなく、発明の趣旨に反しない範囲で、適宜変形して実施することができる。
【００１１】
図１は、実施形態に係るエレベーターの乗りかごの間口寸法を最大化したときの状態を示す平面図であり、図２は、その奥行寸法を最大化したときの状態を示す平面図である。これらの図から明らかなように、実施形態に係るエレベーターの乗りかごは、乗りかごの床面１上に、乗りかごの出入口１２と対向に配置され、乗りかごの奥行寸法を変更する奥行移動壁２と、乗りかごの出入口１２の側方に配置され、乗りかごの間口寸法を変更する間口移動壁３を備えている。これらの各移動壁２、３は、床面１の所定部分に設置されたガイドレール１１にスライド可能に取り付ける。これにより、奥行移動壁２及び間口移動壁３の移動を容易に行うことができる。また、床面１の所要の部分には、固定壁４を設ける。
【００１２】
床面１における間口移動壁３の移動経路上には、間口移動壁３の移動位置を感知する最大間口位置感知スイッチ５及び最小間口位置感知スイッチ６を設置し、床面における奥行移動壁２の移動経路上には、奥行移動壁２の移動位置を感知する最小奥行位置感知スイッチ７及び最大奥行位置感知スイッチ８を設置する。また、間口移動壁３と固定壁４の間には、間口移動壁３の移動を阻止するための間口移動壁施錠装置９を設置すると共に、奥行移動壁２と固定壁４の間には、奥行移動壁２の移動を阻止するための奥行移動壁施錠装置１０を設置する。
【００１３】
本実施形態に係るエレベーターの乗りかごは、図１に示すように、乗りかごの奥行寸法を縮小する方向に奥行移動壁２を移動すると共に、乗りかごの間口寸法を拡大する方向に間口移動壁３を移動した状態、又は、図２に示すように、乗りかごの奥行寸法を拡大する方向に奥行移動壁２を移動すると共に、乗りかごの間口寸法を縮小する方向に間口移動壁３を移動した状態で使用される。図１に示すのは、通常の使用状態であり、間口が広いために乗客が乗降しやすい。これに対して、図２に示すのは、長尺物運搬時の使用状態である。このように、実施形態に係るエレベーターの乗りかごは、使用態様に合わせて床面の奥行寸法を拡大できるので、寝台、ストレッチャーその他の長尺物の運搬が可能であり、床面の奥行寸法を拡大できないタイプのエレベーターに比べて使用を便利にできる。
【００１４】
奥行移動壁２の可動範囲及び間口移動壁３の可動範囲は、乗りかごの奥行寸法を拡大する方向に奥行移動壁２を移動し、かつ乗りかごの間口寸法を縮小する方向に間口移動壁３を移動したときの乗りかごの床面積が、乗りかごの奥行寸法を縮小する方向に奥行移動壁２を移動し、かつ乗りかごの間口寸法を拡大する方向に間口移動壁３を移動したときの乗りかごの床面積とほぼ同等となるように設定する。ここで「ほぼ同等」とは、乗りかご内に乗り込める乗客の数が同数であることを条件として、若干の床面積の大小は問わないことを意味する。本実施形態に係るエレベーターの乗りかごは、このように構成したので、床形状の変更前後で乗かご内に乗り込める乗客の数を一定に保つことができ、乗りかごに定員以上の乗客が乗り込むことによって発生するエレベーターの停止を防止できる。よって、エレベーターを高能率に運用できる。
【００１５】
また、本実施形態に係るエレベーターの乗りかごは、奥行移動壁２及び間口移動壁３を移動した場合にも、床面積が拡大された状態にならないように、奥行移動壁２及び間口移動壁３の移動手順が規制する。即ち、間口移動壁施錠装置９は、最小奥行位置感知スイッチ７により奥行移動壁２が検知され、かつ、最大間口位置感知スイッチ５により間口移動壁３が検知されている状態でのみ開錠可能となり、間口寸法を縮小する方向への間口移動壁３の移動が可能となる。それ以外の状態では、施錠状態を維持し、間口移動壁３の移動を阻止する。一方、奥行移動壁施錠装置１０は、最小間口位置感知スイッチ６により間口移動壁３が検知され、かつ、最小奥行位置感知スイッチ７により奥行移動壁２が検知されている状態でのみ開錠可能となり、奥行寸法を拡大する方向への奥行移動壁２の移動が可能となる。それ以外の状態では、施錠状態を維持し、奥行移動壁２の移動を阻止する。したがって、乗りかごの奥行寸法を拡大する際には、乗りかごの間口寸法を縮小してからでないと乗りかごの奥行寸法を拡大することができない。また、乗りかごの間口寸法を拡大する際には、乗りかごの奥行寸法を縮小してからでないと乗りかごの間口寸法を拡大できない。これにより、本実施形態に係るエレベーターの乗りかごは、床形状の変更前後で乗かご内に乗り込める乗客の数を一定に保つことができる。
【００１６】
ガイドレール１１は、図３に示すように、その上面が乗りかごの床面１よりも若干低くなるように形成する。また、乗りかごの床面１内には、ガイドレール１１の上面を覆うカバー部材１３の収納溝１ａを形成する。カバー部材１３は、一端が奥行移動壁２又は間口移動壁３に固定し、他端側を収納溝１ａ内に摺動可能に収納する。したがって、奥行移動壁２又は間口移動壁３の移動に関わらず、常時ガイドレール１１の上面がカバー部材１３により覆われるので、床面１の美観を保つことができる。また、図１及び図２に示すように、スイッチ装置５、６、７、８をガイドレール１１の端部に設定した場合には、これらスイッチ装置５、６、７、８をカバー部材１３で覆うことができるので、スイッチ装置５、６、７、８の破損及び異物の侵入による誤作動を防止できる。
【００１７】
なお、上述の実施形態においては、奥行移動壁２及び間口移動壁３の移動を手動で行う場合を例にとって説明したが、本発明の要旨はこれに限定されるものではなく、電動モータ及び所要の動力伝達機構を備えることにより、奥行移動壁２及び間口移動壁３の移動を電動で行うこともできる。
【符号の説明】
【００１８】
１  かご床
２  かご奥行移動壁
３  かご間口移動壁
４  かご固定壁
５  最大間口位置感知スイッチ
６  最小間口位置感知スイッチ
７  最小奥行位置感知スイッチ
８  最大奥行位置感知スイッチ
９  間口移動壁施錠装置
１０  奥行移動壁施錠装置
１１  ガイドレール
１２  出入口
１３  カバー部材
【図１】
2015020817.tif 000003
【図２】
2015020817.tif 000004
【図３】
2015020817.tif 000005